(57)【要約】  車両における機能を制御するための信号、とりわけ車両の中央ロック装置を操作するための信号を受信する装置（１）であって、信号を受信するアンテナ（２）と、後置接続された評価ユニット（５）とを有し、該評価ユニットは受信された信号を評価し、当該信号に依存して機能を制御する形式の受信装置において、本発明によれば、アンテナ（２）と評価ユニット（５）との間に適合ユニット（３）が接続されており、該適合ユニットはアンテナ（２）の実際インピーダンスを評価ユニット（５）の入力インピーダンスにマッチングする。
2007518285.tif 000002
【特許請求の範囲】
【請求項１】
車両における機能を制御するための信号、とりわけ車両の中央ロック装置を操作するための信号を受信する装置（１）であって、信号を受信するアンテナ（２）と、後置接続された評価ユニット（５）とを有し、該評価ユニットは受信された信号を評価し、当該信号に依存して機能を制御する形式の受信装置において、
アンテナ（２）と評価ユニット（５）との間に適合ユニット（３）が接続されており、該適合ユニットはアンテナ（２）の実際インピーダンスを評価ユニット（５）の入力インピーダンスにマッチングすることを特徴とする受信装置。
【請求項２】
請求項１記載の装置（１）において、アンテナ（２）と評価ユニット（５）との間にはフィルタ（４）が接続されている装置。
【請求項３】
請求項１または２記載の装置（１）において、適合ユニット（３）はパッシブに構成されている装置。
【請求項４】
請求項１または２記載の装置（１）において、適合ユニット（３）はアクティブに構成されており、アンテナ（２）の実際インピーダンスを検出し、自動的にマッチングを行う装置。
【発明の詳細な説明】
【技術分野】
【０００１】
本発明は、請求項１の上位概念による、車両における機能を制御するための信号、とりわけ車両の中央ロック装置を制御するための信号の受信装置に関する。
【０００２】
車両、とりわけ自家用車では、機能を遠隔操作により制御することが公知である。このために例えば車両の運転者は操作ユニットを有しており、この操作ユニットは例えば車両のキーに組み込まれている。この操作ユニットを操作することにより所定の機能が車両で制御され、とりわけ車両の中央ロック装置が、車両の施錠または解除を行うように制御される。この目的のためにすでに赤外線ビームにより動作する装置が公知である。操作ユニットには赤外線発信器が配置されており、この赤外線発信器を所望の機能を制御するためには車両に配置された赤外線受信器に向けなければならない。しかしこのことの欠点は、送信された赤外線ビームが受信器に到達するようにするため、送信器と受信器をほぼ正確に相互に配向しなければならないことである。しかしこのことは車両の快適性に対して妨げとなる。なぜなら送信器がほぼ正確に受信器に向けられていないときには機能を制御することができないからである。
【０００３】
この問題を回避するためにすでに、無線により動作する装置が公知である。しかしここでの問題は、車両における他の機能、例えばラジオ受信、電話等も無線により相応の周波数領域で動作することである。従って隣接する周波数帯域を分離するためにアンテナまたはアンテナ構造が車両に必要であり、このアンテナまたはアンテナ構造は中央ロック装置の遠隔操作のための固有の周波数ないし周波数領域に同調されている。このことは、アンテナの同調と後置接続された評価ユニットに対して非常に高コストと正確な調整を要求する。この同調は絶対に必要であり、そうでなければ誤機能が生じ得る。現代の車両には同時に、１つのアンテナを複数の機能に対するマルチバンドアンテナとして使用したいという要望がある。従って例えば、放送受信に対するアンテナ構造体と、別の機能を制御する信号を受信するためのアンテナ構造体を車両の窓（とりわけリヤウインドウ）に組み込むことが公知である。現在、例えば分離した別個の導体路構造体がリアウインドウに使用されており、これらは評価ユニットに同調しなければならない。このことの欠点はマッチングが非常に面倒なことである。なぜならこのマッチングは、アンテナ導体が僅かに変化する場合（例えば長さ）でも、幾何形状が変化する場合でも（例えばリアウインドウの厚さ、窓材料の形式、接着剤の厚さ）、変化するからである。さらに種々異なる車両に種々異なるアンテナ構造体が装備されることも欠点である。そのため幾何形状が変化するたびに面倒なマッチングを行わなければならない。
【０００４】
従って本発明の課題は、車両における機能を制御する信号、とりわけ車両の中央ロック装置を操作するための信号の受信装置において、冒頭に述べた欠点を回避するように構成することである。
【０００５】
この課題は請求項１記載の特徴によって解決される。
【０００６】
本発明によれば、アンテナと評価ユニットとの間に適合ユニットが接続されており、この適合ユニットはアンテナの実際インピーダンスを評価ユニットの入力インピーダンスにマッチングする。このことは、任意の形式のアンテナまたはアンテナ構造体を使用することができるという格別の利点をもたらす。そしてこのアンテナまたはアンテナ構造体の種々異なるインピーダンスは適合ユニットによって、このインピーダンスを１つの同じ評価ユニット、すなわち標準評価ユニットに供給できるように変化される。このことにより、アンテナないしアンテナ構造体の領域における変化、例えば製造時の公差により発生し得る変化が機能の制御にもはや不利に作用しなくなる。同様に１つの窓ガラス、または車両のその他の面へのアンテナまたはアンテナ構造体の設計の際に大きな自由度が得られ、評価ユニットの入力インピーダンスに必ずマッチングするように設計する必要がない。
【０００７】
本発明の別の構成では、適合ユニットがパッシブまたはアクティブに構成されており、パッシブな適合ユニットにはアンテナの実際インピーダンスと評価ユニットの入力インピーダンスに依存してパッシブ電子構成素子（例えばコイルおよびコンデンサ）が装着される。アクティブ適合ユニットの構成および使用の利点は、これがアンテナの実際インピーダンスを検出し、この検出された実際インピーダンスを自動的に評価ユニットの入力インピーダンスにマッチングすることである。このようなアクティブ適合ユニットにより、例えば製造公差により発生する障害量が自立的に調整される。
【０００８】
本発明の実施例を以下に記述し、図面に基づき説明するが、本発明はこの実施例に制限されるものではない。
図１は、車両の中央ロック装置を制御する信号を受信するための本発明の装置を示す。
図２は、本発明による適合ユニットによるマッチングをスミス図表に示す図である。
【０００９】
図１は、車両における機能を制御するための信号の受信装置１の構造を例としてします。この実施例では車両の中央ロック装置が装置される。中央ロック装置自体の素子と、送信器により信号（無線）を送信する操作者は図示されていない。この操作ユニット（送信器）から放射された信号は、車両に設けられたアンテナ２を介して受信される。この実施例ではリアウインドウアンテナが示されており、ここではアンテナ導体路構造体が車両のリアウインドウに配置されている。
このリアウインドウアンテナは単に例であり、他の取り付け個所または他のアンテナ形式も考えられる。
本発明によればアンテナ２には適合ユニット３（マッチングネットワーク）が後置接続されており、この適合ユニットにはアンテナ２により受信された信号が供給される。適合ユニット３にはフィルタ４が後置接続されており、このフィルタは機能の制御に必要な、受信信号の周波数領域だけを通過させる。これにより他の信号（例えば放送信号または障害信号）はフィルタ４を通過しない。フィルタ４を通過した信号は後置接続された評価ユニット５に達し、評価ユニットは受信された信号を評価し、相応の制御信号を発生し、制御信号は中央ロック装置の機能素子に供給される。このこと自体は公知であり、本発明の対象ではない。従って中央ロック装置の機能のさらなる説明は省略する。適合ユニット３により本発明によれば、アンテナの実際インピーダンスが、評価ユニット５の入力インピーダンスに一致するように変換される。これによりアンテナ２と評価ユニット５との間の最適のマッチングが得られる。マッチングに関しては図２のスミス図表を参照されたい。ここアンテナ２の実際インピーダンスはポイントＡにあり、このインピーダンスはパッシブ素子（コンデンサ、コイル）によりポイントＢからポイントＣへ変換される。ここでポイントＣは評価ユニット５の入力インピーダンスに相応する。適合ユニット３がパッシブに動作する場合、アンテナ２の実際インピーダンスが検出された後、適合ユニット３のパッシブ構成素子が選択され、適合ユニット３に装着される。ここでの選択は、アンテナ２の実際インピーダンス（ポイントＡ）が評価ユニット５（ポイントＣ）の入力インピーダンスに変換されるように行われる。適合ユニット３がアクティブに動作する場合、アンテナ２の実際インピーダンスは自動的に測定され、測定値に依存してポイントＡからポイントＣへの自立的変換が行われる。
【００１０】
適合ユニット３，フィルタ４および／または評価ユニット５を自立的モジュールとして構成する実施例も、ただ１つのモジュールに集積する実施例も考えられる。
【図面の簡単な説明】
【００１１】
【図１】図１は、車両の中央ロック装置を制御する信号を受信するための本発明の装置を示す。
【図２】図２は、本発明による適合ユニットによるマッチングをスミス図表に示す図である。
【符号の説明】
【００１２】
１  信号受信装置
２  アンテナ
３  適合ユニット
４  フィルタ
５  評価ユニット
【図１】
2007518285.tif 000003
【図２】
2007518285.tif 000004
【国際調査報告】
2007518285.tif 000005
2007518285.tif 000006
2007518285.tif 000007
2007518285.tif 000008
2007518285.tif 000009
2007518285.tif 000010